(57)【要約】    【課題】  機械的制御により開閉体のスライドを制御し且つ耐久性の高いスライド式開閉体の挟み込み防止装置を提供すること。    【解決手段】  挟み込み防止装置は、サッシ枠２に保持される固定側ロック部材１０と障子３に保持される可動側ロック部材２０を備え、固定側ロック部材１０は作動用傾斜面１１とロック用耐荷重面１２を有し、可動側ロック部材２０は作動用傾斜面１１と接触して回動する作動レバー２１と作動レバー２１に取り付けられ作動レバー２１の回動速度に応じて回動するフック部材２２とロック用耐荷重面１３と接触する接触面２３を備えフック部材２２と掛合して回動する停止レバー２４を有する構成である。【選択図】  図７
2009097323.tif 000002
【特許請求の範囲】
【請求項１】
開閉体又は前記開閉体がスライドする固定枠のうち少なくとも一方に保持される固定側ロック部材と、前記開閉体又は前記固定枠のうち少なくとも他方に保持される可動側ロック部材と、から構成されるスライド式開閉体の挟み込み防止装置であって、
前記固定側ロック部材は、作動用傾斜面と、ロック用耐荷重面と、を備え、
前記可動側ロック部材は、前記作動用傾斜面と接触して回動する作動リンク部材と、前記作動リンク部材に取り付けられ前記作動リンク部材の回動速度に応じて遥動するフック部材と、前記ロック用耐荷重面と接触しする接触部を備え前記フック部材と掛合して回動する停止リンク部材と、から構成されるスライド式開閉体の挟み込み防止装置。
【請求項２】
前記作動リンク部材を前記作動用傾斜面と接触する方向に付勢する第１弾性部材と、前記停止リンク部材を前記ロック用耐荷重面と接触する方向に付勢する第２弾性部材とを備える、ことを特徴とするとする請求項１に記載のスライド式開閉体の挟み込み防止装置。
【請求項３】
前記フック部材の重心は、前記フック部材が前記作動リンク部材に取り付けられる位置に対して前記作動リンク部材の回動中心から離れた位置にある、ことを特徴とするとする請求項１または請求項２のいずれかに記載のスライド式開閉体の挟み込み防止装置。
【請求項４】
前記停止リンク部材は、前記ロック用耐荷重面と接触するときに前記作動リンク部材に対して前記開閉体のスライド方向に相対移動するための長孔を備える、ことを特徴とする請求項１乃至３のいずれか一項に記載のスライド式開閉体の挟み込み防止装置。
【請求項５】
前記停止リンク部材と当接する緩衝部材を備え、前記緩衝部材は当接時の圧縮変形を吸収する逃がし部を備える、ことを特徴とする請求項１乃至４のいずれか一項に記載のスライド式開閉体の挟み込み防止装置。
【請求項６】
前記作動用傾斜面は、付勢部材と調整部材とを有し、前記調整部材の操作により傾斜面の角度が調整可能である、ことを特徴とする請求項１乃至５のいずれか一項に記載のスライド式開閉体の挟み込み防止装置。
【請求項７】
前記調整部材は、係合部と、前記固定側ロック部材に組み付けた状態では前記係合部より上方に位置し前記係合部の直径より大きい膨らみ部と、を備える、ことを特徴とする請求項６に記載のスライド式開閉体の挟み込み防止装置。
【請求項８】
前記作動リンク部材は、前記フック部材を回動方向に押動する引掛り代調整部材を備える、ことを特徴とする請求項１乃至７のいずれか一項に記載のスライド式開閉体の挟み込み防止装置。
【発明の詳細な説明】
【技術分野】
【０００１】
本発明は、玄関引き戸や引き違いサッシ等のようにスライドする戸や窓（開閉体）の開閉に係り、特に閉める時に指等の挟み込みを防止するスライド式開閉体の挟み込み防止装置に関する。
【背景技術】
【０００２】
従来から住宅の開口部には、スライドする型の引き戸や障子等（開閉体）が用いられており、引き違いサッシで開閉体が重なり合う部分や、開閉体と開口部の枠（固定枠）側との間で指等を挟むことがあった。近年、この開閉体が景観を良くするために大型化したり、防犯や断熱を重視したペアガラスにしたりする比率が高くなってきており、それに伴い開閉体の重量が増加している。そのため、指等を挟んだ場合の危険性が高くなってきている傾向がある。
【０００３】
指等の挟み込みを防ぐために、種々の技術が開発されており、例えば特許文献１では、２つの磁石をそれぞれ固定枠側と開閉体側とに取り付け、磁石の反発力を利用した技術が開示されている。この特許文献１の装置は、固定枠と開閉体との間で磁石が先端に取り付けられた棒状部材が固定枠側に設置されており、開閉体側に別の磁石が取り付けられており、開閉体をゆっくりと閉めれば２つの磁石が反発して棒状部材が開閉体が閉められるように退避でき、開閉体を速く閉めると磁石が反発できず棒状部材に開閉体が衝突し開閉体を止める（ロックする）仕組みである。
【特許文献１】特開平８−８２１５７号公報
【発明の開示】
【発明が解決しようとする課題】
【０００４】
しかし、上記特許文献１で用いられる磁石は衝突に弱く、且つ固定軸に直接荷重が加わるため、耐久性が低くい。そして、磁石等の磁性体の磁束密度はバラツキが大きく、そのため上記作動のタイミングを調節すること、つまり開閉体をどの程度の速度で停止させるかを調節することが非常に困難である。
【０００５】
本発明は、上記課題に鑑みてなされたもので、機械的制御により開閉体のスライドを制御し且つ耐久性の高いスライド式開閉体の挟み込み防止装置を提供することを解決すべき課題とする。
【課題を解決するための手段】
【０００６】
上記課題を解決するため、請求項１に記載の発明は、開閉体又は前記開閉体がスライドする固定枠のうち少なくとも一方に保持される固定側ロック部材と、前記開閉体又は前記固定枠のうち少なくとも他方に保持される可動側ロック部材と、から構成されるスライド式開閉体の挟み込み防止装置であって、前記固定側ロック部材は、作動用傾斜面と、ロック用耐荷重面とを備え、前記可動側ロック部材は、前記作動用傾斜面と接触して回動する作動リンク部材と、前記作動リンク部材に取り付けられ前記作動リンク部材の回動速度に応じて遥動するフック部材と、前記ロック用耐荷重面と接触しする接触部を備え前記フック部材と掛合して回動する停止リンク部材とを備える構成である。
【０００７】
また、請求項２に記載の発明は、前記作動リンク部材を前記作動用傾斜面と接触する方向に付勢する第１弾性部材と、前記停止リンク部材を前記ロック用耐荷重面と接触する方向に付勢する第２弾性部材とを備える構成である。
【０００８】
また、請求項３に記載の発明は、前記フック部材の重心は、前記フック部材が前記作動リンク部材に取り付けられる位置に対して前記作動リンク部材の回動中心から離れた位置におく構成である。
【０００９】
また、請求項４に記載の発明は、前記停止リンク部材は、前記ロック用耐荷重面と接触するときに前記作動リンク部材に対して前記開閉体のスライド方向に相対移動するための長孔を備える構成である。
【００１０】
また、請求項５に記載の発明は、前記停止リンク部材と当接する緩衝部材を備え、前記緩衝部材は当接時の圧縮変形を吸収する逃がし部を備える構成である。
【００１１】
また、請求項６に記載の発明は、前記作動用傾斜面は、付勢部材と調整部材とを有し、前記調整部材の操作により傾斜面の角度が調整可能な構成である。
【００１２】
また、請求項７に記載の発明は、前記調整部材は、係合部と、前記固定側ロック部材に組み付けた状態では前記係合部より上方に位置し前記係合部の直径より大きい膨らみ部と、を備える構成である。
【００１３】
また、請求項８に記載の発明は、前記作動リンク部材は、前記フック部材を回動方向に押動する引掛り代調整部材を備える構成である。
【発明の効果】
【００１４】
請求項１に記載の発明では、固定側ロック部材と可動側ロック部材は全て機械的な部品で構成され、スライド式開閉体の挟み込み防止（ロック）を作動リンク部材の回動速度に応じて変化するフック部材の遥動により決めることができる。また、磁石を備えない構成のため、衝突による磁石の割れの問題（耐久性）、磁性体の磁束密度のバラツキによるロックタイミングの調節の困難性の問題を解決できる。
【００１５】
また、請求項２に記載の発明では、作動リンク部材を作動用傾斜面と接触する方向に付勢する第１弾性部材と、停止リンク部材をロック用耐荷重面と接触する方向に付勢する第２弾性部材とを備える構成のため、開閉体を開動作した時は作動リンク部材と停止リンク部材は初期位置に復帰するように保持される。したがって開閉体を繰り返し開閉動作しても常に挟み込みの防止機能が得られる。
【００１６】
また、請求項３に記載の発明では、フック部材の重心は、フック部材が作動リンク部材に取り付けられる位置に対して作動リンク部材の回動中心から離れた位置にあるため、作動リンク部材の回動により、フック部材を遥動することができる。フック部材が遥動することで固定側ロック部材のロック用耐荷重面と可動側ロック部材の停止リンク部材の接触部が接触して、挟み込み防止（ロック）が可能になる。
【００１７】
また、請求項４に記載の発明では、停止リンク部材は、開閉体のスライド方向に伸びる長孔を備えるため、固定側ロック部材のロック用耐荷重面と可動側ロック部材の停止リンク部材の接触部が接触しても、停止リンク部材は作動リンク部材に対してスライド方向に移動するため、固定軸に加わる荷重を低減することが可能になり、耐久性が向上する。
【００１８】
また、請求項５に記載の発明では、停止リンク部材と当接する緩衝部材を備えるため、固定側ロック部材のロック用耐荷重面と可動側ロック部材の停止リンク部材の接触部が接触して停止リンク部材が開閉体のスライド方向に移動する際に緩衝部材で開閉体の荷重吸収が可能になる。また緩衝部材は当接時の圧縮変形を吸収する例えば貫通孔、凹形状等の空間から構成される逃がし部を有するため、逃がし部を有しない場合と比較してより多くの変形と荷重吸収が可能になる。
【００１９】
また、請求項６に記載の発明では、固定側ロック部材の作動用傾斜面は、付勢部材と調整部材とを有し調整部材により傾斜面の角度の調整が可能なため、開閉体の閉速度が同じでも作動用傾斜面の傾斜角度を調整することで作動用傾斜面と接触して回動する作動リンク部材の回動速度を変えることができ、作動リンク部材に取り付けられたフック部材の遥動を調整できる。作動用傾斜面によりフック部材の遥動を調整できるため、開閉体の閉速度に合わせた挟み込み防止のタイミングの調整が容易に行なえる。
【００２０】
また、請求項７に記載の発明では、調整部材は、固定側ロック部材に組み付けた状態で係合部より上方に位置する膨らみ部を備えるため、使用者が固定側ロック部材の作動用傾斜面を調整する際に、調整部材が落下して紛失することを防止できる。
【００２１】
また、請求項８に記載の発明では、作動リンク部材は、フック部材を回動方向に押動する引掛り代調整部材を備えるため、フック部材と停止リンク部材が確実に引掛るように引掛り代を調整できる。
【発明を実施するための最良の形態】
【００２２】
以下に本発明の実施形態を図面を参照しつつ詳細に説明する
図１は、本発明の実施形態である挟み込み防止装置１で、サッシ枠２（固定枠）に固定される固定側ロック部材１０と、障子３（開閉体）に固定される可動側ロック部材２０と、から構成される。
【００２３】
図２は、挟み込み防止装置１の構成図で、固定側ロック部材１０は、作動用傾斜面１１と、作動用傾斜面１１と並んで設けられるロック用耐荷重面１２を備える。
【００２４】
可動側ロック部材２０は、作動用傾斜面１１と接触して回動するＬ字形状を呈する作動レバー２１（作動リンク部材）と、作動レバー２１に回動（遥動）可能に取り付けられたフック部材２２と、ロック用耐荷重面１２と接触しする接触面２３（接触部）を備え回動する停止レバー２４（停止リンク部材）から構成される。
【００２５】
作動レバー２１と停止レバー２４は、ケース２６の固定軸２７（回動中心）に回動可能に設けられる。ケース２６は、障子３にボルト２５で固定される。
【００２６】
作動レバー２１は、一端がケース２６に取り付けられ他端が作動レバー２１に取り付けられ、作動レバー２１を作動用傾斜面１１と接触する方向に回動するように付勢するバネ２８（第１弾性部材）を備える。また、停止レバー２４は、一端がケース２６に取り付けられ他端が停止レバー２４に取り付けられ、停止レバー２４をロック用耐荷重面１２と接触する方向に回動するように付勢するバネ２９（第２弾性部材）を備える。
【００２７】
フック部材２２の重心３０は、フック部材２２が作動レバー２１に取り付けられた位置３１に対して、作動レバー２１が回動する固定軸２７の遠心方向に位置する。またフック部材２２には、停止レバー２４と掛合するための掛部３３が設けられる。
【００２８】
停止レバー２４には、ロック用耐荷重面１２と接触するときに作動レバー２１に対してスライド方向に相対移動するための長孔３２を備える。また、停止レバー２４には、掛部３３と掛合する凸部３４が形成される。
【００２９】
ケース２６は、停止レバー２４と当接する緩衝材４０（緩衝部材）が設けられ、緩衝材４０は当接時の緩衝材４０の圧縮変形と衝撃を吸収する複数の貫通孔４１（逃がし部）を備える。
【００３０】
図３、４は、固定用ロック部材１０の外観を示す説明図で、図３は斜視図、図４は上視図である。作動レバー２１と接触する作動用傾斜面１１と、停止レバー２４と接触するロック用耐荷重面１２は幅方向に並んで設けられる。固定用ロック部材１０の下面側には作動用傾斜面１１の傾斜角度を調整するための調整ネジ１５が設けられる。
【００３１】
次に図５、６を用いて障子３を遅い速度で閉方向にスライドした場合の挟み込み防止装置１の動作を説明する。
【００３２】
図５は、作動用傾斜面１１に作動レバー２１が当接した状態を示す図である。作動レバー２１は、固定軸２７を中心に位置３１を下方に回動する力Ｆａが働く。このとき、作動レバー２１に取り付けられたフック部材２２にも、重心３０に下方に移動する力Ｆｇが働く。障子３を遅い速度で閉方向にスライドする場合、固定軸２７を中心に位置３１を下方に回動する速度が遅くなり、回動方向の力Ｆａは、Ｆｇと比べて小さくなるため、フック部材２２は位置３１で回動しないまま下方に移動する。このとき掛部３３は凸部３４と掛合する。
【００３３】
図６は、作動レバー２１が回動して、フック部材２２が停止レバー２４を下方に回動する状態を示す図である。掛部３３と凸部３４が掛合した状態で、作動レバー２１が下方に回動すると、停止レバー２４もバネ２９の付勢力に抗して固定軸２７を軸として下方に回動する。このとき停止レバー２４の接触面２３は、ロック用耐荷重面１２より下方に移動するため、接触面２３とロック用耐荷重面１２は接触しない。したがって障子３はサッシ枠２に当接する位置（全閉）まで移動が可能になる。
【００３４】
次に図７、８を用いて障子３を速い速度で閉方向にスライドした場合の挟み込み防止装置１の動作を説明する。
【００３５】
図７は、作動用傾斜面１１に作動レバー２１が当接し、フック部材２２が回動した状態を示す図である。障子３を速い速度で閉方向にスライドする場合、固定軸２７を中心に位置３１を下方に回動する速度が速くなり、開動方向の力Ｆａは、Ｆｇと比べて大きくなる。この場合、フック部材２２には重心３０ではＦａに対してそのままの位置で残ろうとする慣性力が働き、フック部材２２は位置３１で重心３０が上方に向くように回動する。このとき掛部３３は凸部３４と掛合しない。
【００３６】
図８は、掛部３３は凸部３４と掛合しないまま作動レバー２１が回動する状態を示す図である。掛部３３と凸部３４が掛合しないまま作動レバー２１が下方に回動すると、停止レバー２４はバネ２９の付勢力により、回動しないままの位置で保持される。そのため停止レバー２４の接触面２３とロック用耐荷重面１２は接触可能となり、障子３はサッシ枠２に当接しない位置に保持（ロック）される。
【００３７】
図９は、停止レバー２４の接触面２３とロック用耐荷重面１２が接触したまま、停止レバー２４と作動レバー２１がスライド方向に相対移動した状態を示す図である。停止レバー２４の接触面２３とロック用耐荷重面１２が接触すると、停止レバー２４は長孔３２に沿って作動レバー２１に対してスライド方向に相対移動する。したがって長孔３２に設けられた固定軸２７は、長孔３２に沿って図面左側に移動する。このとき停止レバー２４の接触面２３とロック用耐荷重面１２が接触したときの衝撃は、固定軸２７ではなく緩衝材４０が受ける。緩衝材４０には複数の貫通孔４１が形成され、貫通孔４１が衝撃により変形する。
【００３８】
図１０は、固定用ロック部材１０の作動用傾斜面１１の断面図である。作動用傾斜面１１は、作動用傾斜面１１の傾斜面を形成するガイドプレート１３と、ガイドプレート１３を固定枠２方向に付勢するトーションスプリング１４（付勢部材）と、トーションスプリング１４の付勢力に抗してガイドプレート１３の傾斜角度を調整する調整ネジ１５とから構成される。調整ネジを回転するとガイドプレート１３の一端が上方に押される。このときガイドプレート１３の傾斜面を形成する他端は、下方に移動して傾斜角度が小さくなる。作動用傾斜面１１の傾斜角度が変わることで、作動用傾斜面１１と接触して回動する作動レバー２１の回動速度が変わる。
【００３９】
図１１は、固定用ロック部材５０の作動用傾斜面５１の断面図で、図１２は固定用ロック部材５０の上面図で、図１３は、調整ネジ５５の詳細図である。
【００４０】
固定用ロック部材５０は、図１０の固定用ロック部材１０を改良したものである。作動用傾斜面５１は、作動用傾斜面５１の傾斜面を形成するガイドプレート５３と、ガイドプレート５３を固定枠２方向に付勢するトーションスプリング５４（付勢部材）と、トーションスプリング５４の付勢力に抗してガイドプレート５３の傾斜角度を調整する調整ネジ５５（調整部材）から構成される。調整ネジ５５は、雄ネジ部５６（係合部）と、固定側ロック部材５０に組み付けた状態では雄ネジ部５６より上方に位置し雄ネジ部５６の直径より大きい膨らみ部５７と、上下方向の両端には調整ネジ５５を回して作動用傾斜面５１の傾斜面を調整するためのマイナス穴５８を備える。ガイドプレート５３には、雄ネジ部５６と螺合する雌ネジ部５９（係合部）が設けられる。
【００４１】
調整ネジ５５を図示しないドライバ等を用いてマイナス穴５８を回すと、調整ネジ５５の雄ネジ部５６とガイドプレート５３の雌ネジ部５９が相対移動して作動用傾斜面５１の傾斜が変わる。調整ネジ５５の膨らみ部５７は、固定用ロック部材５０に回転可能に埋設される。
【００４２】
図１４は、図２の挟み込み防止装置１の変形例である。図２と同一の機能、同一の部位については同一の符番を用いて説明する。作動レバー２１は、雌ネジ部３５（引掛り代調整部材）と、雌ネジ部３５に螺合してフック部材２２を回動方向に押動する調整用雄ネジ３６（引掛り代調整部材）を備える。
【００４３】
調整用雄ネジ３６を一方向に回すと、調整用雄ネジ３６の先端はフック部材２２を図の反時計回り方向に押動する。フック部材２２が図の反時計回り方向に回動すると、掛部３３と凸部３４の引掛り代は小さくなる。反対に調整用雄ネジ３６を他方向に回すと、フック部材２２が図の時計回り方向に回動して、掛部３３と凸部３４の引掛り代は大きくなる。
【００４４】
本発明の挟み込み防止装置１では、固定側ロック部材１０と可動側ロック部材２０は全て機械的な部品で構成され、挟み込み防止の作動を作動レバー２１の回動速度に応じて変化するフック部材２２の回動により機械的に制御ができる。
【００４５】
また、作動レバー２１を作動用傾斜面１１と接触する方向に回動して付勢するバネ２８と、停止レバー２４をロック用耐荷重面１２と接触する方向に回動して付勢するバネ２９とを備えるため、障子３を開動作した時に作動レバー２１と停止レバー２４を初期位置に復帰するように保持できる。したがって障子を繰り返し開閉動作しても常に挟み込みの防止機能が作用する。
【００４６】
また、フック部材２２の重心３０は、フック部材２２が作動レバー２１に取り付けられる位置３１に対して作動レバー２１の回動中心である固定軸２７の遠心方向に位置するため、作動レバー２１の回動により、フック部材２２を回動することができる。フック部材２２が回動することで固定側ロック部材１０のロック用耐荷重面１２と可動側ロック部材２０の停止レバー２４の接触面２３が接触して、挟み込み防止動作が可能になる。
【００４７】
また、停止レバー２４は、作動レバー２１に対して障子３のスライドする方向に移動するための長孔３２を備えるため、固定側ロック部材１０のロック用耐荷重面１２と可動側ロック部材２０の停止レバー２４の接触面２３が接触しても、固定軸２７は長孔３２をスライド方向に移動するため、固定軸２７に加わる荷重を低減でき、耐久性が向上する。
【００４８】
また、停止レバー２４と当接する緩衝材４０を備えるため、固定側ロック部材１０のロック用耐荷重面１２と可動側ロック部材２０の停止レバー２４の接触面２３が接触して停止レバー２４がスライド方向に移動して緩衝材４０で障子３の荷重を吸収でき、貫通孔４１が衝撃により変形することでより高い変形と衝撃の吸収が可能になる。
【００４９】
また、固定側ロック部材１０の作動用傾斜面１１は、トーションスプリング１４と調整ネジ１５よりガイドプレート１３の傾斜面の角度を調整できるため、障子３の閉速度が同じ場合でも作動レバー２１の回動速度を変えることができ、フック部材２２の回動を調整できる。作動用傾斜面１１からフック部材２２の回動が調整できるため、障子３の閉速度に合わせた挟み込み防止のタイミングの調整を容易に行なうことができる。
【００５０】
また、調整ネジ５５は、固定側ロック部材５０に組み付けた状態において雄ネジ部５６より上方に位置する膨らみ部５７を備えるため、使用者が固定側ロック部材５０の作動用傾斜面５１を調整する際に、調整ネジ５５が落下して紛失することを防止できる。
【００５１】
また、雄ネジ３６を回してフック部材２２を回動することで、フック部材２２の掛部３３と停止リンク部材２４の凸部３４が確実に引掛るように引掛り代を調整できる。
【図面の簡単な説明】
【００５２】
【図１】本発明の挟み込み防止装置を障子とサッシ枠に取り付けた図である。
【図２】本発明の挟み込み防止装置の構成図である。
【図３】本発明の固定用ロック部材の斜視図である。
【図４】本発明の固定用ロック部材の上視図である。
【図５】障子を遅い速度で閉方向にスライドした場合の挟み込み防止装置で、作動用傾斜面に作動レバーが当接した状態を示す図である。
【図６】障子を遅い速度で閉方向にスライドした場合の挟み込み防止装置で、作動レバーが回動してフック部材が停止レバーを下方に回動する状態を示す図である。
【図７】障子を速い速度で閉方向にスライドした場合の挟み込み防止装置で、作動用傾斜面に作動レバーが当接し、フック部材が回動した状態を示す図である。
【図８】障子を速い速度で閉方向にスライドした場合の挟み込み防止装置で、掛部と凸部が掛合しないまま作動レバーが回動する状態を示す図である。
【図９】停止レバーの接触面とロック用耐荷重面が接触したまま、停止レバーと作動レバーがスライド方向に相対移動した状態を示す図である。
【図１０】固定用ロック部材の作動用傾斜面の断面図である。
【図１１】固定用ロック部材の作動用傾斜面の断面図である。
【図１２】固定用ロック部材の上面図である。
【図１３】調整ネジの詳細図である。
【図１４】挟み込み防止装置の変形例である。
【符号の説明】
【００５３】
１  挟み込み防止装置
２  サッシ枠（固定枠）
３  障子（開閉体）
１０  固定側ロック部材
１１  作動用傾斜面
１２  ロック用耐荷重面
１４  トーションスプリング（付勢部材）
１５  調整ネジ（調整部材）
２０  可動側ロック部材
２１  作動レバー（作動リンク部材）
２２  フック部材
２３  接触面（接触部）
２４  停止レバー（停止リンク部材）
２７  固定軸（回動中心）
２８  バネ（第１弾性部材）
２９  バネ（第２弾性部材）
３０  重心
３２  長孔
３５  雌ネジ部（引掛り代調整部材）
３６  調整用雄ネジ（引掛り代調整部材）
４０  緩衝材（緩衝部材）
４１  貫通孔（逃がし部）
５５  調整ネジ（調整部材）
５６  雄ネジ部（係合部）
５７  膨らみ部
５９  雌ネジ部（係合部）
【図１】
2009097323.tif 000003
【図２】
2009097323.tif 000004
【図３】
2009097323.tif 000005
【図４】
2009097323.tif 000006
【図５】
2009097323.tif 000007
【図６】
2009097323.tif 000008
【図７】
2009097323.tif 000009
【図８】
2009097323.tif 000010
【図９】
2009097323.tif 000011
【図１０】
2009097323.tif 000012
【図１１】
2009097323.tif 000013
【図１２】
2009097323.tif 000014
【図１３】
2009097323.tif 000015
【図１４】
2009097323.tif 000016